(57)【特許請求の範囲】
【請求項１】
開放性遠位脛骨骨切り術によって切開された脛骨に設置される開放性遠位脛骨骨切り術用の固定器具であって、
前記脛骨に密着し、複数の結合孔及び長孔が形成される胴体部、
前記胴体部の一端と連結され、複数の結合孔が形成されるヘッド部、
前記結合孔に挿入されるネジ、及び
摺動ネジを用いて前記長孔に脱着可能に設けられるブロックを含み、
前記胴体部の中部には基準となる水平な底面を有し、前記胴体部の他端は前記水平な底面を基準に一定角度を有するように形成され、
前記ヘッド部の一側面は前記胴体部の前記水平な底面を基準に上面方向へ２４〜２６度の傾斜角を有し、且つ、前記ヘッド部の他側面は前記胴体部の前記水平な底面を基準に第１傾斜部と第２傾斜部とを含む２段の傾斜区間を有して、前記第１傾斜部は前記胴体部の前記水平な底面を基準に上面方向へ１５〜１６度の傾斜角を形成し、前記第２傾斜部は前記胴体部の前記水平な底面を基準に上面方向へ１６〜１７度の傾斜角を形成することを特徴とする開放性遠位脛骨骨切り術用の固定器具。
【請求項２】
前記ヘッド部は、
前記胴体部の一端と連結され、前記胴体部と共に左側または右側にねじれて形成されることを特徴とする、請求項１に記載の開放性遠位脛骨骨切り術用の固定器具。
【請求項３】
前記ヘッド部は前記胴体部より幅が広く形成され、
前記ヘッド部に形成される複数の結合孔は３つであり、前記３つの結合孔の中心点が三角形の頂点に位置するように形成されることを特徴とする、請求項２に記載の開放性遠位脛骨骨切り術用の固定器具。
【請求項４】
前記ヘッド部と前記胴体部はねじれて形成されて前記脛骨に密着することを特徴とする、請求項２に記載の開放性遠位脛骨骨切り術用の固定器具。
【請求項５】
前記胴体部の他端は２段の傾斜区間を有し、
前記傾斜区間は左側と右側の傾斜が互いに異なるように形成されることを特徴とする、請求項２に記載の開放性遠位脛骨骨切り術用の固定器具。
【請求項６】
前記胴体部の他端は、
第１傾斜区間と第２傾斜区間とを有し、
前記第１傾斜区間は第２傾斜区間より小さい傾斜角を有することを特徴とする、請求項５に記載の開放性遠位脛骨骨切り術用の固定器具。
【請求項７】
前記ヘッド部または前記胴体部にはガイドピンが固定されるための少なくとも一つのガイドホールが形成されることを特徴とする、請求項１〜６のいずれか一項に記載の開放性遠位脛骨骨切り術用の固定器具。
【請求項８】
前記ブロックは、切開部に挿入される長さは４〜１０ｍｍに形成され、
高さは３．８〜４．２、５．８〜６．２、７．８〜８．２または９．８〜１０．２ｍｍの高さのうちの一つが使われることを特徴とする、請求項１〜７のいずれか一項に記載の開放性遠位脛骨骨切り術用の固定器具。
【発明の詳細な説明】
【技術分野】
【０００１】
本発明は、開放性遠位脛骨骨切り術用の固定器具に関する。より詳しくは、本発明は、足首の内側に遠位部脛骨の開放性骨切り術の後にプレートを接触して堅固な固定力を確保する開放性遠位脛骨骨切り術用の固定器具に関する。
【背景技術】
【０００２】
一般に退行性関節炎は人体の関節部位に多様に現れる。
内側足首に退行性関節炎が現れる場合や、内側足首に虚血壊死がある場合には、人体の荷重を支持する足首部位に痛みが増加して歩行時に困難がある。
【０００３】
この場合に勧められる手術的な方法のうちの一つとして内側足首骨切り術があり、これは足首の非正常的な軸を正すことによって足首関節に与えられる荷重を外側の健康な関節面に移して応力の分布と関節整列を改善して痛みを軽減できる治療方法である。
【０００４】
内側足首関節骨切り術は、人工関節置換術とは異なって自身の関節を保存できる方法であって、人工関節手術の時期を遅らせることができ、関節運動範囲が手術前とほぼ類似するように維持できるという長所がある。
【０００５】
内側足首の上側にある太い骨を切って荷重の集中を矯正する遠位脛骨骨切り術を施行し、遠位脛骨骨切り術の施行時、骨を切った後、必要な角度だけ骨を広げ、骨移植をした後にプレートとネジを用いて固定をする。
【０００６】
しかし、このような従来のプレートにおいては、韓国人の体形に合わず、骨切り術部位の角度が合わないため、手術後に合併症が発生するという問題があった。
【先行技術文献】
【特許文献】
【０００７】
【特許文献１】大韓民国登録特許第１０−０６４１３１２号
【発明の概要】
【発明が解決しようとする課題】
【０００８】
本発明の実施形態は、プレートのヘッド部を回転させて堅固な結合力を有することができる開放性遠位脛骨骨切り術用の固定器具を提供する。
【０００９】
また、ヘッド部に角度を形成して結合ネジが骨から離脱しないようにする開放性遠位脛骨骨切り術用の固定器具を提供する。
【課題を解決するための手段】
【００１０】
本発明の好ましい一実施形態である開放性遠位脛骨骨切り術用の固定器具は、開放性遠位脛骨骨切り術によって切開された脛骨に設置される開放性遠位脛骨骨切り術用の固定器具であって、前記脛骨に密着し、複数の結合孔及び長孔が形成される胴体部、前記胴体部の一端と連結され、複数の結合孔が形成されるヘッド部、前記結合孔に挿入されるネジ、及び摺動ネジを用いて前記長孔に脱着可能に設けられるブロックを含み、前記ヘッド部は前記ヘッド部の下面を基準に一定角度を有するように形成され、前記胴体部の他端は前記胴体部の下面を基準に一定角度を有するように形成されることを特徴とする。
【００１１】
好ましくは、前記ヘッド部は、前記胴体部の一端と連結され、前記胴体部と共に左側または右側にねじれて形成されることを特徴とする。
【００１２】
好ましくは、前記ヘッド部は前記胴体部より幅が広く形成され、前記ヘッド部に形成される複数の結合孔は中心部が三角形の頂点に位置するように形成されることを特徴とする。
【００１３】
好ましくは、前記ヘッド部と前記胴体部は湾曲するように形成されて前記脛骨に密着することを特徴とする。
【００１４】
好ましくは、前記ヘッド部の一側面は前記胴体部の底面を基準に２４〜２６度の傾斜角を有することを特徴とする。
【００１５】
好ましくは、前記ヘッド部の他側面は前記胴体部の底面を基準に２段の傾斜区間を有することを特徴とする。
【００１６】
好ましくは、前記傾斜区間は第１傾斜部と第２傾斜部とを含み、前記第１傾斜部は前記第２傾斜部より傾斜角が小さいことを特徴とする。
【００１７】
好ましくは、前記第１傾斜部は前記胴体部の底面を基準に１５〜１６度の傾斜角を形成し、前記第２傾斜部は前記胴体部の底面を基準に１６〜１７度の傾斜角を形成することを特徴とする。
【００１８】
好ましくは、前記胴体部は２段の傾斜区間を有し、前記傾斜区間は左側と右側の傾斜が互いに異なるように形成されることを特徴とする。
【００１９】
好ましくは、前記胴体部は第１傾斜区間と第２傾斜区間とを有し、前記第１傾斜区間は第２傾斜区間より小さい傾斜角を有することを特徴とする。
【００２０】
好ましくは、前記ヘッド部または前記胴体部にはガイドピンが固定されるための少なくとも一つのガイドホールが形成されることを特徴とする。
【００２１】
好ましくは、前記ブロックは、切開部に挿入される長さは４〜１０ｍｍに形成され、高さは３．８〜４．２、５．８〜６．２、７．８〜８．２または９．８〜１０．２ｍｍの高さのうちの一つが使われることを特徴とする。
【発明の効果】
【００２２】
本発明の一実施形態による開放性遠位脛骨骨切り術用の固定器具によれば、ヘッド部を回転させてプレートと骨を堅固に結合できるという効果がある。
【００２３】
また、ヘッド部に角度を形成して結合ネジが骨から離脱しないため、手術後の合併症の発生を減少できるという効果がある。
【００２４】
なお、胴体部に摺動孔を形成し、手術部位に合わせてブロックを挿入できるという効果がある。
【図面の簡単な説明】
【００２５】
【図１】本発明の好ましい一実施形態による開放性遠位脛骨骨切り術用の固定器具が脛骨に結合した状態を示す図である。
【図２】本発明の好ましい一実施形態である開放性遠位脛骨骨切り術用の固定器具の側面から見た図である。
【図３】本発明の構成要素であるプレートの形状を示す図である。
【図４】図３のプレートを一側から見た図である。
【図５】図３のプレートを他側から見た図である。
【図６】図３のプレートをヘッド部側から見た図である。
【図７】本発明の構成要素であるブロックの形状を示す図である。
【発明を実施するための形態】
【００２６】
以下、本発明の好ましい実施形態を添付図面を参照し、本発明の実施形態による開放性遠位脛骨骨切り術用の固定器具を詳細に説明する。先ず、各図面の構成要素に参照符号を付する際、同一の構成要素に対しては他の図面上に表示される時にも可能な限り同一の符号を付するようにしていることに留意しなければならない。また、以下では本発明の好ましい実施形態を説明するが、本発明の技術的思想はこれに限定または制限されず、当業者によって変形されて多様に実施できることは勿論である。
【００２７】
図１は本発明の好ましい一実施形態による開放性遠位脛骨骨切り術用の固定器具が脛骨に結合した状態を示す図であり、図２は本発明の好ましい一実施形態である開放性遠位脛骨骨切り術用の固定器具の側面から見た図であり、図３は本発明の構成要素であるプレートの形状を示す図である。
【００２８】
図１及び図３を参照して本発明の好ましい一実施形態による開放性遠位脛骨骨切り術用の固定器具１について説明する。
【００２９】
図１を参照すれば、脛骨２を切開する遠位脛骨骨切り術の施術により、切開部３を基準に上部脛骨２ａと下部脛骨２ｂに区分される。
【００３０】
本発明の好ましい一実施形態による開放性遠位脛骨骨切り術用の固定器具１は、脛骨２に密着し、複数の結合孔１４及び長孔２０が形成される胴体部１０、胴体部１０の一端と連結され、複数の結合孔３４が形成されるヘッド部３０、結合孔１４、３４に挿入されるネジ１２、３２、及び摺動ネジ５４を用いて長孔２０に脱着可能に設けられるブロック５０を含むことができる。
【００３１】
本発明の好ましい一実施形態による開放性遠位脛骨骨切り術用の固定器具１のプレート１００は手術部位に応じて左側用と右側用に区分され、左側用と右側用は対称構造を有する。
【００３２】
プレート１００は胴体部１０とヘッド部３０とを含むことができ、脛骨２にプレート１００を固定させるためのネジ１２、３２が挿入される複数の結合孔１４、３４が形成されることができる。
【００３３】
胴体部１０は細長型に形成され、複数の結合孔１４が胴体部１０の長さ方向に形成されることができる。胴体部１０の一端はヘッド部３０と連結され、胴体部１０の他端は胴体部１０の下面を基準に一定角度を有するように形成されて脛骨２に密着することができる。胴体部１０に形成される複数の結合孔１４は一定間隔に形成されて、プレート１００が受ける支持力を均一に分布させることができる。胴体部１０に形成される複数の結合孔１４を貫通するネジ１２は上部脛骨２ａに直角方向に結合することができる。胴体部１０に結合するネジ１２の長さは上部脛骨２ａの直径に応じて様々な変形実施が可能である。また、胴体部１０に結合するネジ１２は直径が４〜６ｍｍに形成され、好ましくは、５ｍｍの直径を有することができる。
【００３４】
胴体部１０に形成される長孔２０には摺動ネジ５４を用いてブロック５０が連結されることができる。ブロック５０は脛骨２の切開部３に挿入されて切開部３を支持することができる。摺動ネジ５４はブロック５０を胴体部１０に固定するためのものであり、摺動ネジ５４の長さは、ブロック５０を胴体部１０に固定し、ブロック５０を貫通した摺動ネジ５４の貫通部位が切開部３に接しないように調節される。
【００３５】
開放性遠位脛骨骨切り術の施術時、脛骨２の一面を切開し、切開面を広げて足首の非正常的な軸を正すようになる。この時、開放性遠位脛骨骨切り術の施術時、脛骨２に形成される切開部３が常に固定されるものではないため、ブロック５０の挿入位置が固定されている場合、切開部３の位置に合わせてプレート１００を固定する時、脛骨２の屈曲面と一致せず、プレート１００が脛骨２に密着できないという問題があった。
【００３６】
このような問題点を解決するために、胴体部１０に長さ方向の長孔２０を形成し、施術時に形成される切開部３の位置に応じてブロック５０の位置を調節できるようにした。
【００３７】
ヘッド部３０は胴体部１０の一端と連結され、ヘッド部３０の下面を基準に上方向に一定角度を有するように形成されることができる。ヘッド部３０は胴体部１０と共に左側または右側にねじれて一定角度を形成することができる。
【００３８】
ヘッド部３０は胴体部１０の幅より広く形成されることができる。ヘッド部３０には複数の結合孔３４が形成され、ネジ３２が挿入されて下部脛骨２ｂと密着するように結合することができる。ヘッド部３０に形成される結合孔３４は三角形の頂点に位置するように形成されることができる。ヘッド部３０に形成された結合孔３４に挿入されるネジ３２の端は任意の一点に向かうように結合することができる。下部脛骨２ｂに挿入されるヘッド部３０と結合するネジ３２は任意の一点に向かうように結合することにより、関節面や切開部３を貫通せずに下部脛骨２ｂと結合することができる。
【００３９】
一実施形態として、三角形の頂点に位置する結合孔３４のうちヘッド部３０の最上端に形成される結合孔３４に結合するネジ３２は垂直方向に脛骨２と結合し、残りの二つの頂点に結合するネジ３２は傾斜するように結合して任意の一点に向かうように結合することができる。
【００４０】
このようなヘッド部３０に結合するネジ１２、３２の結合形態は下部脛骨２ｂを貫通しないようにする結合形態として様々な変形実施が可能である。
【００４１】
ヘッド部３０に挿入されるネジ３２は３〜４ｍｍの直径を有し、好ましくは３．５ｍｍの直径を有するように形成されることができる。
【００４２】
プレート１００の構成要素である胴体部１０とヘッド部３０は必要に応じて区分したものであり、一体に形成されてもよい。プレート１００にはガイドピン（図示せず）が固定される少なくとも一つのガイドホールが形成されることができる。ガイドホール４０はネジ１２、３２を挿入する前に、ガイドピン（図示せず）を設けてプレート１００を臨時に固定することができる。
【００４３】
これは、プレート１００に形成される結合孔１４、３４にネジ１２、３２を挿入する時、プレート１００が流動するのを防止するためである。プレート１００が脛骨２に密着した後にはガイドピン（図示せず）が除去される。
【００４４】
一実施形態として、ガイドホール４０はヘッド部３０を固定するためにヘッド部３０側に少なくとも一つが形成されることができる。ガイドホール４０はプレート１００を固定するためのものであって、複数で形成されることができ、プレート１００を固定するための様々な位置に変形実施が可能である。
【００４５】
図４は本発明の構成要素であるプレートを一側から見た図であり、図５は本発明の構成要素であるプレートを他側から見た図である。
【００４６】
図４〜図５を参照すれば、プレート１００のヘッド部３０は胴体部１０の一端と連結されて上方向に傾斜を具備し、胴体部１０の他端は胴体部１０を基準に上方向に傾斜を具備することができる。また、プレート１００は全体的に左側または右側にツイストされる。これは、解剖学的構造によって脛骨２に密着するためである。
【００４７】
ヘッド部３０の一側は胴体部１０の底面を基準に２４〜２６度の傾斜角を有し、ヘッド部３０の他側は胴体部１０の底面を基準に２段の傾斜角を形成することができる。ヘッド部３０の他側は第１傾斜区間と第２傾斜区間を形成することができ、第１傾斜区間は第２傾斜区間より傾斜角が小さく形成される。
【００４８】
一実施形態として、ヘッド部３０の一側は２５度の傾斜角を有し、他側は、第１傾斜区間では１５〜１６度、第２傾斜区間では１６〜１７度の傾斜角を有することができる。これは、ヘッド部３０がツイストされて、ヘッド部３０を下部脛骨２ｂと密着させるためである。
【００４９】
胴体部１０の他端は２段の傾斜区間を有することができる。胴体部１０の左側と右側の２段の傾斜区間は傾斜角が互いに異なるように形成され、第１傾斜区間と第２傾斜区間において、第１傾斜区間は第２傾斜区間より小さい傾斜区間を有することができる。
【００５０】
一実施形態として、胴体部１０他端の一側の第１傾斜区間は７．７〜８．２度の傾斜角を有し、第２傾斜区間は１４．５〜１５度の傾斜角を有することができる。
【００５１】
胴体部１０他端の他側の第１傾斜区間は７．２〜７．７度の傾斜角を有し、第２傾斜区間は１６．８〜１７．３度の傾斜角を有することができる。これは、胴体部１０がツイストされ、胴体部１０を上部脛骨２ａと密着させるためである。
【００５２】
図６は、本発明の構成要素であるプレートをヘッド部側から見た図である。
図６を参照すれば、プレート１００は脛骨２の外周面と密着するために一定曲率を有するように湾曲して形成されることができる。プレート１００の曲率は制限がなく、様々な変形実施が可能である。
【００５３】
ヘッド部３０は最上部側の一点と左右側の最外郭点を連結する線が三角形を形成するように備えられることができる。ヘッド部３０のツイストによって最上部側の一点は一側に偏る。一実施形態として、ヘッド部３０に形成される三角形において左右側の最外郭点を連結する時に生成される角度は一側が２９〜３１度の傾斜角を、他側が２２〜２４度の傾斜角を有することができる。
【００５４】
このようにツイストされたプレート１００が脛骨２に密着できるようにして、プレート１００の支持力を向上させることができる。
【００５５】
図７は、本発明の構成要素であるブロックの形状を示す図である。
図７を参照すれば、ブロック５０は切開部３に挿入されて上部脛骨２ａと下部脛骨２ｂを支持することができる。ブロック５０は、四角柱の形状を有し、長さ（ｄ）方向の貫通孔５２が形成され、摺動ネジ５４が長孔２０を貫通して貫通孔５２に結合することができる。ブロック５０はメタル（ｍｅｔａｌ）や強化プラスチック等の様々な材質に変形実施が可能である。
【００５６】
一実施形態として、ブロック５０の長さ（ｄ）は４〜１０ｍｍに形成され、好ましくは８ｍｍの長さ（ｄ）に形成されることができる。
【００５７】
ブロック５０の高さ（ｈ）は３．８〜４．２、５．８〜６．２、７．８〜８．２、９．８〜１０．２ｍｍのいずれかが使われることができ、切開部３の幅に応じて様々な変形実施が可能である。
【００５８】
このようなブロック５０の形状は一実施形態に過ぎず、切開部３に挿入されるための様々な形状に変形実施が可能である。
【００５９】
このように、本発明の一実施形態による開放性遠位脛骨骨切り術用の固定器具によれば、ヘッド部を回転させてプレートと骨を堅固に結合できるという効果がある。
【００６０】
また、ヘッド部に角度を形成して結合ネジが骨から離脱しないため、手術後の合併症の発生を減少できるという効果がある。
【００６１】
なお、胴体部に摺動孔を形成して、手術部位に合わせてブロックを挿入できるという効果がある。
【００６２】
以上の説明は本発明の技術思想を例示的に説明したものに過ぎず、本発明が属する技術分野で通常の知識を有した者であれば、本発明の本質的な特性から逸脱しない範囲内で様々な修正、変更及び置換が可能である。よって、本発明に開示された実施形態及び添付された図面は本発明の技術思想を限定するためのものではなく説明するためのものであって、このような実施形態及び添付された図面によって本発明の技術思想の範囲が限定されるものではない。本発明の保護範囲は下記の請求範囲によって解釈しなければならず、それと同等な範囲内にある全ての技術思想は本発明の権利範囲に含まれると解釈しなければならない。
【図１】
0006440337.tif 000002
【図２】
0006440337.tif 000003
【図３】
0006440337.tif 000004
【図４】
0006440337.tif 000005
【図５】
0006440337.tif 000006
【図６】
0006440337.tif 000007
【図７】
0006440337.tif 000008